(57)【要約】【課題】学生が講義の中の理解できなかった箇所を再び視聴すること等を可能とするシステムを提供する。【解決手段】このシステム１は、複数の教室にそれぞれ設置された複数の第１の端末１１〜１ｍと、学内ＬＡＮを介して第１の端末１１〜１ｍに接続されたサーバ３１と、インターネットを介してサーバ３１に接続された複数の第２の端末２１〜２ｎとを具備する。また、第１の端末１１〜１ｍの各々は、プロジェクタ４１と、ＣＲＴ４２と、ライトペン４３と、マイクロフォン４４と、スピーカ４５と、データ格納部４６と、表示制御部４７と、アンプ４８と、データ同期部４９と、通信部５０とを含む。【選択図】　図１
2004053619.tif 000002
【特許請求の範囲】
【請求項１】
複数の教室にそれぞれ設置された複数の第１の端末と、前記複数の第１の端末に接続されたサーバとを具備し、複数の第２の端末にデータを配信するためのシステムであって、
前記第１の端末の各々が、
文字又は画像を表示するための表示手段と、
音声を出力するための音声出力手段と、
学生に文字又は画像を提示するための第１のデータを格納するデータ格納手段と、
学生に文字又は画像を提示するための第２のデータを教官が入力するための入力手段と、
教官の音声を受け取って第３のデータに変換する音声入力手段と、
前記第１のデータに基づく文字又は画像を前記表示手段に表示させるとともに、前記第２のデータに基づく画像を前記表示手段に表示させる表示制御手段と、
前記第３のデータに基づく音声を前記音声出力手段に出力させる音声出力制御手段と、
前記第１〜第３のデータを同期させた第４のデータを出力するデータ同期手段と、
前記第４のデータを前記サーバに送信する通信手段と、
を具備し、
前記サーバが、
前記複数の第２の端末からの要求に応じて、前記第４のデータを前記複数の第２の端末に配信すること
を特徴とするシステム。
【請求項２】
前記第１〜第４のデータが、薬学、医学、歯学、又は、獣医学の科目の講義に関するデータであることを特徴とする請求項１記載のシステム。
【請求項３】
前記第１〜第４のデータが、薬剤師国家試験、医師国家試験、歯科医師国家試験、又は、獣医師国家試験の試験科目の講義に関するデータであることを特徴とする請求項１又は２記載のシステム。
【発明の詳細な説明】
【０００１】
【発明の属する技術分野】
本発明は、データを配信するためのシステムに関し、特に、講義に関するデータを配信するためのシステムに関する。
【０００２】
【従来の技術】
従来、大学等の講義においては、教官が、教室内に設置された黒板に文字等を書きながら、説明を行っていた。
【０００３】
しかしながら、上記のような従来の講義では、学生は、講義の中の理解できなかった箇所を再び受講することができなかった。また、教官は、自己の講義を受講することができないので、自己の講義を改善することが困難であった。また、学生は、異動、退官等により大学から居なくなってしまった教官の講義を受講することができなかった。
また、薬学部、医学部、歯学部、農学部等の学生は、卒業時に薬剤師国家試験、医師国家試験、歯科医師国家試験、獣医師国家試験等を受けるが、これらの国家試験には、大学１年次に履修した科目からも出題される。しかしながら、学生が、大学１年次の講義を思い出すことは困難であった。
【０００４】
さらに、薬学部等の学生の中には、薬剤師国家試験等に不合格となる者も生ずる。このように国家試験に不合格となってしまった既卒生は、翌年以降の国家試験を再度受験するが、このような既卒生は、講義を受講することが容易でないため、翌年以降の国家試験の勉強を行うことが困難であった。
また、薬剤師国家試験等に関する講義は、毎年同じ内容又は類似した内容となる場合もあるが、このような場合に、教官は、毎年同じ内容又は類似した内容の講義を行わなければならなかった。
【０００５】
【発明が解決しようとする課題】
そこで、上記の点に鑑み、本発明は、学生が講義の中の理解できなかった箇所を再び視聴すること等を可能とする、データを配信するためのシステムを提供することを目的とする。
【０００６】
【課題を解決するための手段】
以上の課題を解決するため、本発明に係るデータを配信するためのシステムは、複数の教室にそれぞれ設置された複数の第１の端末と、複数の第１の端末に接続されたサーバとを具備し、複数の第２の端末にデータを配信するシステムであって、第１の端末の各々が、文字又は画像を表示するための表示手段と、音声を出力するための音声出力手段と、学生に文字又は画像を提示するための第１のデータを格納するデータ格納手段と、学生に文字又は画像を提示するための第２のデータを教官が入力するための入力手段と、教官の音声を受け取って第３のデータに変換する音声入力手段と、第１のデータに基づく文字又は画像を表示手段に表示させるとともに、第２のデータに基づく画像を表示手段に表示させる表示制御手段と、第３のデータに基づく音声を音声出力手段に出力させる音声出力制御手段と、第１〜第３のデータを同期させた第４のデータを出力するデータ同期手段と、第４のデータをサーバに送信する通信手段とを具備し、サーバが、複数の第２の端末からの要求に応じて、第４のデータを複数の第２の端末に配信することを特徴とする。
【０００７】
ここで、第１〜第４のデータが、薬学、医学、歯学、又は、獣医学の科目の講義に関するデータであることとしても良い。また、第１〜第４のデータが、薬剤師国家試験、医師国家試験、歯科医師国家試験、又は、獣医師国家試験の試験科目の講義に関するデータであることとしても良い。
【０００８】
本発明によれば、学生が講義の中の理解できなかった箇所を再び視聴すること等を可能することができる。
【０００９】
【発明の実施の形態】
以下、図面に基づいて本発明の実施の形態について説明する。なお、同一の構成要素については、同一の参照番号で示している。
図１は、本発明の一実施形態に係るデータを配信するためのシステムを示す図である。図１に示すように、このシステム１は、大学の教室内にそれぞれ設置された第１の端末１１〜１ｍと、大学の構内に設置され、学内ＬＡＮ（Ｌｏｃａｌ　ＡｒｅａＮｅｔｗｏｒｋ）を介して第１の端末１１〜１ｍに接続されたサーバ３１と、学生、卒業生、聴講生等の自宅等にそれぞれ設置され、インターネットを介してサーバ３１にそれぞれ接続された第２の端末２１〜２ｎとを具備する。
【００１０】
図２は、図１の第１の端末１１〜１ｍの構成を示す図である。図２に示すように、第１の端末１１〜１ｍの各々は、プロジェクタ４１と、ＣＲＴ４２と、ライトペン４３と、マイクロフォン４４と、スピーカ４５と、データ格納部４６と、表示制御部４７と、アンプ４８と、データ同期部４９と、通信部５０とを含んでいる。
データ格納部４６は、教官が文書作成アプリケーションプログラム、プレゼンテーションアプリケーションプログラム、グラフィックアプリケーションプログラム等を用いて予め作成したデータを格納しており、このデータは表示制御部４７によって読み取られる。表示制御部４７は、読み取ったデータに基づく文字又は画像をプロジェクタ４１及びＣＲＴ４２に表示させる。
【００１１】
教官は、プロジェクタ４１及びＣＲＴ４２に表示された文字又は画像を見ながら、講義を行う。マイクロフォン４４は、教官の音声を受信し、音声信号に変換して出力する。
マイクロフォン４４から出力された音声信号は、アンプ４８に入力される。アンプ４８は、マイクロフォン４４から受け取った音声信号に基づく音声をスピーカ４５に出力させる。
【００１２】
ライトペン４３は、ＣＲＴ４２の表示画面上に押し当てられたときに走査線を読み取ってＣＲＴ４２の表示画面上における位置を検知することにより、文字又は画像を入力するための装置である。教官は、ＣＲＴ４２の表示画面上に表示された文字又は画像を見ながらライトペン４３を操作することにより、文字又は画像を入力することができる。表示制御部４７は、データ格納部４６に格納されているデータに基づいてプロジェクタ４１及びＣＲＴ４２の表示画面上に表示されている文字又は画像に、ライトペン４３から受信した信号に基づく文字又は画像を重ねて表示させる。
学生は、プロジェクタ４１に表示された文字又は画像を見ながら、スピーカ４５から出力される音声を聞くことにより、教官の講義を受けることができる。
【００１３】
データ同期部４９は、表示制御部４７から文字又は画像のデータを受け取り、マイクロフォン４４から音声信号を受け取る。そして、データ同期部４９は、表示制御部４７から受け取ったデータとマイクロフォン４４から受け取った音声信号を同期させたデータを通信部５０に出力する。
通信部５０は、データ同期部４９から受け取ったデータを、学内ＬＡＮを介して、サーバ３１に送信する。
【００１４】
サーバ３１は、第１の端末１１〜１ｍから受信したデータを蓄積して格納しており、格納しているデータを第２の端末２１〜２ｎからの要求に応じて送信する。学生、卒業生、聴講生等は、第２の端末２１〜２ｎを用いて、所望の講義を受講することができる。
【００１５】
このように、システム１によれば、学生が、教室で受けた講義の中の理解できなかった箇所を帰宅してから再度視聴することができる。また、教官は、自己の講義を視聴し、自己の講義を改善することができる。また、学生は、異動、退官等により大学から居なくなってしまった教官の講義を、何時でも視聴することができる。さらに、大学院生、卒業研究生等の学会発表の練習に用いることができる。
【００１６】
また、薬学部、医学部、歯学部、農学部等の学生は、卒業時に薬剤師国家試験、医師国家試験、歯科医師国家試験、獣医師国家試験等を受けるが、これらの国家試験には、大学１年次に履修した科目からも出題される。このような場合に、学生は、自宅において、大学１年次に受けた講義を再度視聴することが可能である。
さらに、薬学部等の学生の中には、薬剤師国家試験等に不合格となる者も生ずる。このように国家試験に不合格となってしまった既卒生は、翌年以降の国家試験を再度受験するが、このような既卒生も、大学に通うことなく、自宅において国家試験のための講義を視聴することが可能である。
また、薬剤師国家試験等に関する講義は、毎年同じ内容又は類似した内容となる場合もあるが、このような場合に、教官は、前年以前の講義のデータを利用することができ、学生は、前年以前の講義を視聴することができる。
【００１７】
また、教官は、厚生労働省等の最新の情報を用いた講義を行うことができる。
さらに、書籍等においては、化学反応式等に矢印を書き加えることが困難である。しかしながら、システム１によれば、教官は、データ格納部４６に格納されているデータに基づいてプロジェクタ４１に化学反応式等を表示させ、さらに、ライトペン４３を用いて手書きの矢印を化学反応式等に重ねてプロジェクタ４１に表示させることができる。
【００１８】
なお、本実施形態においては、学生に文字又は画像を提示するためにプロジェクタ４１を用いることとしているが、各学生が着席する座席にＬＣＤ等の表示装置を配置して用いることとしても良い。また、教官が文字又は画像を入力するためにライトペン４３を用いることとしているが、マウス、トラックボール、タブレット、ディジタイザ、キーボード等を用いることとしても良い。これらの入力装置をライトペン４３に代えて用いることとすれば、ＣＲＴ４２を不要とすることができる。
また、データ格納部４６は、ハードディスク、フレキシブルディスク、ＭＯ、ＭＴ、ＲＡＭ、ＣＤ−ＲＯＭ、又は、ＤＶＤ−ＲＯＭ等で構成することができ、表示制御部４７、データ同期部４９、及び、通信部５０は、パーソナルコンピュータとソフトウェア（プログラム）で構成することができる。
【００１９】
【発明の効果】
以上述べた様に、本発明によれば、学生が、教室で受けた講義の中の理解できなかった箇所を再度視聴することができる。また、教官が、自己の講義を視聴し、自己の講義を改善することができる。また、学生は、異動、退官等により大学から居なくなってしまった教官の講義を、何時でも視聴することができる。
【図面の簡単な説明】
【図１】本発明の一実施形態に係るデータを配信するためのシステムを示す図である。
【図２】図１の第１の端末の構成を示す図である。
【符号の説明】
１１、１２、…　第１の端末
２１、２２、…　第２の端末
３１　サーバ
４１　プロジェクタ
４２　ＣＲＴ
４３　ライトペン
４４　マイクロフォン
４５　スピーカ
４６　データ格納部
４７　表示制御部
４８　アンプ
４９　データ同期部
５０　通信部
【図１】
2004053619.tif 000003
【図２】
2004053619.tif 000004